(57)【要約】      （修正有） 【課題】ハンドファーストを習得する上で有用なゴルフ練習器具を提供する。【解決手段】ゴルフ練習器具１０は、ゴルフクラブ３０と、補助シャフト５０との組合せからなる。ヘッド３１０を含むゴルフクラブ３０のグリップ側の端部に補助シャフト５０をねじ結合により連結する。補助シャフト５０は、その軸線がゴルフクラブ３０のシャフトの軸線上に位置し、しかも、ゴルフプレーヤー２０の体の脇部を通り過ぎ、終端が体の背後に達する長さである。スイング時、補助シャフト５０は、ゴルフプレーヤー２０の体と一体となり、自然とハンドファーストを生み出す。【選択図】図１
0003230638.tif 000002
【実用新案登録請求の範囲】
【請求項１】
シャフトの一端にグリップがあるゴルフクラブと、前記シャフトの軸線上、ゴルフクラブのグリップ側の端に取り付ける補助シャフトとの組合せからなるゴルフ練習器具であって、
前記ゴルフクラブと前記補助シャフトとは、互いの取付けのために、一方におねじ部、他方にそのおねじ部にねじ結合するめねじ部を備え、
前記ゴルフクラブと前記補助シャフトとの取付けにより、補助シャフトは、その軸線がゴルフクラブのシャフトの軸線の延長上に位置し、しかも、ゴルフクラブのグリップを持つ人の身体の脇部を通り過ぎ、補助シャフトの終端が身体の背後に達する長さである、ゴルフ練習器具。
【請求項２】
前記おねじ部は、全長にわたってねじ山が切られた全ねじ部材によって構成されており、その全ねじ部材は、長さ方向の第１端の部分が前記ゴルフクラブあるいは前記補助シャフトの一方の端に埋め込まれ、露出した第２端の部分が前記おねじ部となる、請求項１のゴルフ練習器具。
【請求項３】
前記ゴルフクラブと前記補助シャフトとは、前記ねじ結合による取付けによって、ゴルフクラブ側の端部と補助シャフト側の端部とが面接触する、請求項１あるいは２のゴルフ練習器具。
【請求項４】
前記補助シャフトは、前記ゴルフクラブに取り付ける側に、前記ゴルフクラブのグリップと同様のグリップカバー、前記ゴルフクラブに取り付ける側とは反対側に、グリップカバーよりも弾力性のある弾力カバーをそれぞれ備える、請求項１のゴルフ練習器具。
【請求項５】
前記補助シャフトの重さＷ１と、前記ゴルフクラブのヘッドの重さＷ２との間に、Ｗ１＞Ｗ２の関係がある、請求の範囲１のゴルフ練習器具。
【請求項６】
ゴルフクラブのグリップ側の端部にねじ結合により連結し、そのゴルフクラブの長さを延長する補助シャフトであって、
前記ゴルフクラブに対する連結により、前記補助シャフトは、その軸線がゴルフクラブのシャフトの軸線の延長上に位置し、しかも、ゴルフクラブのグリップを持つ人の身体の脇部を通り過ぎ、補助シャフトの終端が身体の背後に達する長さをもち、
しかも、前記補助シャフトは、一方の端部に、前記ゴルフクラブの端部にねじ結合するためのおねじ部を含み、そのおねじ部は、全長にわたってねじ山が切られた全ねじ部材によって構成され、さらに、その全ねじ部材は、長さ方向の第１端の部分が前記補助シャフトの一方の端部に埋め込まれ、露出した第２端の部分が前記おねじ部となる、補助シャフト。
【考案の詳細な説明】
【技術分野】
【０００１】
この考案は、ハンドファーストを習得する上で有用なゴルフ練習器具に関する。
【背景技術】
【０００２】
ゴルフの上達を図るためには、正しいスイングを習得することが大事である。正しいスイングの代表例は、両腕と肩とによってきれいな三角形を描く形態である。この「きれいな三角形」の形態を得るため、特許文献１は、ゴルフクラブのグリップ側の端部にシャフト延長部を設け、そのシャフト延長部の末端をゴルフプレーヤーの体に当て、当てた部分を支点としてスイングを行うことを示している。その技術は、比較的短い飛距離のアプローチやグリーン上のパターに有用である。
【０００３】
正しいスイングを語る別のキーワードは、「ハンドファースト」である。ハンドファーストとは、インパクトの時点で、ゴルフクラブのヘッドよりも、グリップの部分の手が先行していることをいう。このハンドファーストは、アプローチに用いるショートアイアンよりも、ミドルアイアンやロングアイアンなどの大きな飛距離を得るゴルフクラブにおいて、より大切である。なぜなら、ハンドファーストは、ボールにより強いエネルギーを与えること、あるいは、ボールをより安定して飛ばすことの上で有用であるからである。
【先行技術文献】
【特許文献】
【０００４】
【特許文献１】特開平７−３０３７１７号公報
【考案の概要】
【考案が解決しようとする課題】
【０００５】
「ハンドファースト」の習得に適したゴルフ練習器具については、前記した「きれいな三角形」を得るための器具とは異なり、器具あるいはその連結部分により一層の機械的強度をもたせることが求められる。なぜなら、より遠くに飛ばそうとするゴルフプレーヤーは、大きな力を伴ってゴルフクラブを振るため、その大きな力がゴルフ練習器具に影響を与えるからである。
【０００６】
そこで、この考案は、ハンドファーストを習得する上で有用なゴルフ練習器具を提供することを目的とする。
【０００７】
また、この考案は、練習器具の一部の構成をスイング練習に用いることができるゴルフ練習器具を提供することを他の目的とする。この考案のさらなる目的については、今後の説明から明らかになるであろう。
【課題を解決するための手段】
【０００８】
この考案のゴルフ練習器具は、シャフトの一端にグリップがあるゴルフクラブと、そのシャフトの軸線上、ゴルフクラブのグリップ側の端に取り付ける補助シャフトとの組合せからなる。ゴルフクラブとそれを延長する補助シャフトとは、ねじ結合により連結し、取付けおよび取外しができるようにする。そして、ハンドファーストの習得のために、補助シャフトを特定の長さに設定する。すなわち、ゴルフクラブと補助シャフトとの取付けにより、補助シャフトは、その軸線がゴルフクラブのシャフトの軸線の延長上に位置し、しかも、ゴルフクラブのグリップを持つ人の身体の脇部を通り過ぎ、補助シャフトの終端が身体の背後に達する長さである。
【０００９】
ねじ結合のため、ゴルフクラブと補助シャフトとは、一方におねじ部、他方にそのおねじ部にねじ結合するめねじ部を備える。ねじ結合の強度向上のため、前記おねじ部は、全長にわたってねじ山が切られた全ねじ部材によって構成するのが好ましい。その全ねじ部材は、長さ方向の第１端の部分がゴルフクラブあるいは補助シャフトの一方の端に埋め込まれ、露出した第２端の部分がねじ結合のためのおねじ部となる
【００１０】
ここで、全ねじ部材は、部材として充分な機械的な強度を得る上だけでなく、ねじ結合によるゴルフクラブと補助シャフトとの連結強度を得る上でも有効である。というのは、全ねじであるために、ゴルフクラブと補助シャフトとは、ゴルフクラブ側の端部と補助シャフト側の端部とが確実に面接触し、一体的な結合を生むからである。
【００１１】
補助シャフトは、ゴルフクラブに取り付ける側に、ゴルフクラブのグリップと同様のグリップカバー、ゴルフクラブに取り付ける側とは反対側に、グリップカバーよりも弾力性のある弾力カバーをそれぞれ備える。補助シャフトのグリップカバーは、隣り合うゴルフクラブのグリップと相まって、連結部の連続性を生む。また、補助シャフトの弾力カバーは、器具を用いるゴルフプレーヤーの身体の脇部に当たるとき、当たりを和らげる作用をする。
【００１２】
ハンドファーストでのスイングを感じ取るために、補助シャフトの重さＷ１と、前記ゴルフクラブのヘッドの重さＷ２との間に、Ｗ１＞Ｗ２の関係をもたせるのが好ましい。良好なウエイトバランスあるいはカウンターバランスになるからである。
【００１３】
ゴルフクラブに連結する補助シャフトについては、その補助シャフト自体をスイングの練習に活用することもできる。その活用を考慮するとき、全ねじ部材は、長さ方向の第１端の部分を補助シャフトの一方の端部に埋め込み、露出した第２端の部分をおねじ部として機能させるのが良い。そうすれば、おねじ部に対し、めねじ部をもつ適度な重さのウエイトあるいはヘッドを取り付けることにより、補助シャフトのウエイトバランスを変えてスイング練習をすることができる。
【００１４】
なお、ゴルフクラブとして、通常の大きさのヘッドをもつものを用いることもできるし、通常よりも大きな、いわゆるデカヘッドをもつものを用いることもできる。デカヘッドの場合、スイング時の空気抵抗を低減するため、ヘッドを貫通する空気孔を複数設けることが好ましい。
【図面の簡単な説明】
【００１５】
【図１】この考案のゴルフ練習器具を用いた練習風景の一例を示す図である。
【図２】この考案のゴルフ練習器具の一要素である補助シャフトの一実施例を示す側面図である。
【図３】図２の補助シャフトをゴルフクラブに取り付ける状態を示す、各取付け端部の斜視図である。
【図４】図２の補助シャフトの端部を示す部分断面図である。
【考案を実施するための形態】
【００１６】
図１は、ゴルフ練習器具１０を用いて、ゴルフプレーヤー２０が練習する風景を示す。ゴルフプレーヤー２０が持つゴルフ練習器具１０は、ゴルフクラブ３０と、ゴルフクラブ３０の末端に連結し取り付けた補助シャフト５０との組合せからなる。
【００１７】
ゴルフクラブ３０は、円筒形のシャフト３００と、シャフト３００の先端部にあるヘッド３１０と、シャフト３００の後端部にあるグリップ３２０とを備える。練習用であるため、ヘッド３１０は、通常のヘッドよりも大きく、たとえば、１．５〜２倍程度の大きさのデカヘッドである。デカヘッドであるため、初心者でも使い易く、中、上級者にとっても、重さがあるので、スイングの感じを感知しやすい。デカヘッドの空気抵抗を低減するため、ヘッドを貫通する複数の空気孔がある。
【００１８】
補助シャフト５０は、ゴルフクラブ３０のシャフト３０の軸線の延長線上に位置し、ゴルフクラブ３０を補助シャフト５０の長さ分だけ延長している。補助シャフト５０の長さは、たとえば、６０ｃｍ前後である。アドレス時、ゴルフクラブ３０のグリップ３２０はゴルフプレーヤー２０の体の前に位置している。それに対し、補助クラブ５０は、ゴルフクラブ３０のグリップ３２０の末端からゴルフプレーヤー２０の体の脇部を通り過ぎ、終端はゴルフプレーヤー２０の体の背後にまで達している。
【００１９】
先に述べたとおり、ハンドファーストとは、インパクトの時点で、ゴルフクラブ３０のヘッド３１０よりも、グリップ３２０の部分の手が先行することである。初心者は、ハンドファーストとは逆に、体の前でヘッド３１０をグリップ３２０よりも先行させるようなスイングをする傾向がある。そのようなスイングをしようとするとき、補助シャフト５０がゴルフプレーヤー２０の体の脇部に当たり、補助シャフト５０およびゴルフクラブ３０（つまり、ゴルフ練習器具１０）は、ゴルフプレーヤー２０の体と一体となり、結果的に、自ずとハンドファーストの形態を習得することができる。
【００２０】
したがって、補助シャフト５０は、ゴルフクラブ３０と一体となってゴルフプレーヤー２０にハンドファーストの形態を導く役割を果たすものである。そのため、補助シャフト５０は、ゴルフクラブ３０を特定の長さだけ延長し、ゴルフプレーヤー２０の体に触れることにより、スイング形態をハンドファーストに導く機能をもつ。この機能を有効に得るため、補助シャフト５０の長さは、ゴルフクラブ３０から延びる補助シャフト５０の終端がゴルフプレーヤー２０の体の脇部を通り過ぎ、体の背後に達するほどの大きさである。終端が体の背後まで達することにより、ゴルフクラブ３０に連結した補助シャフト５０は、ゴルフプレーヤー２０の体の脇部に拘束されて、自然とハンドファーストのスイング形態を作り出す。スイングには、比較的に大きなエネルギーが伴うため、ゴルフプレーヤー２０の体には、補助シャフト５０を通してそれなりの衝撃が加わる傾向がある。その衝撃を緩和するため、補助シャフト５０側に弾力性の材料を介在させると良い。
【００２１】
図２は、ゴルフクラブ３０に連結する補助シャフト５０を示す側面図である。補助シャフト５０の本体部分は円筒形状のシャフト部材５００であり、スチールあるいはコンポジット素材からなる。その太さはゴルフクラブ３０のシャフト３００と同様であるが、長さは、たとえば６０ｃｍ程度であり、ゴルフクラブ３０よりは短めである。
【００２２】
補助シャフト５０の軸線上の一端におねじ部７００が露出している。そのおねじ部７００は、対応するゴルフクラブ３０側のめねじ部にねじ結合し、ゴルフクラブ３０を補助シャフト５０の長さ分だけ延長したゴルフ練習器具１０を構成するための結合部材である。補助シャフト５０には、また、おねじ部７００のあるシャフト部材５００の表面に、ゴルフクラブ３０のグリップと同様のグリップカバー５１０があり、さらにまた、その反対側に、グリップカバー５１０よりも弾力性のある弾力カバー５２０をそれぞれ備える。補助シャフト５０のグリップカバー５１０はゴム状のエラストマー製であるのに対し、弾性カバー５２０としてはより弾力性のあるゴム製にするのが好ましい。それらのグリップカバー５１０および弾性カバー５２０の軸線方向の長さは、たとえば２０ｃｍ程度のほぼ同じ大きさである。
【００２３】
図３は、補助シャフト５０をゴルフクラブ３０のグリップ３２０側の端部に取り付ける際の各取付け端部を示す。補助シャフト５０の取付け端部にはおねじ部７００があり、また、ゴルフクラブ３０側の取付け端部には、おねじ部７００に適合するめねじ部８００がある。
【００２４】
図４は、補助シャフト５０の取付け側の端部を示す部分断面図であるが、併せて、取付けを完了した段階における、ゴルフクラブ３０側の取付け端部をも想像線で示している。この図４に示すように、取付完了時点において、補助シャフト５０の取付け端５５０は、それに向かい合うゴルフクラブ３０側の取付け端３５０に確実に密着した状態である。そのような密着状態は、ゴルフクラブ３０と補助シャフト５０との一体感を得る上でも、ゴルフクラブ３０に対する補助シャフト５０の取付けあるいは連結の充分な強度を得る上でも好ましい。
【００２５】
全ねじ部材６００によって、おねじ部７００を構成することは、両取付け端３５０，５５０の密着状態を得る上で特に有効である。全ねじ部材６００は、長さ方向の一方の端６１０からその反対側の他方の端６２０までの全てにねじ山が切られたねじ部材である。そのような全ねじ部材６００の長さ方向の半分ほどを補助シャフト５０の端部に埋め込む（あるいは、植え込む）ことにより、取付け端５５０から露出した、全ねじ部材６００の残り半分の長さの部分は、露出した長さ方向の根元から先端まで一様なねじ山をもつ。その点、たとえば、棒状の部材の一端部を切削加工によりおねじ部を切り出すような場合、根元部分が細くなり、強度的に弱くなる傾向があり、また、密着状態を得るための一様なねじ山を得ることが困難である。
【００２６】
全ねじ部材６００の長さ方向の半分ほどを補助シャフト５０に埋め込む（あるいは植え込む）手法として、たとえば、補助シャフト５０のシャフト端部にナット部材９００をはめ込んで接着し固定することができる。同様に、ゴルフシャフト３０の取付け側の端部に、ナット部材９００と同じ部材９００を接着し固定することによりめねじ部８００を構成することができる。
【００２７】
なお、補助シャフト５０とゴルフクラブ３０とからなるゴルフ練習器具１０について、スイングの練習効果を上げるため、補助シャフト５０の重さＷ１は、ゴルフクラブ３０のヘッド３１０の重さＷ２よりも適度に重く設定するのが好ましい。
【００２８】
また、ゴルフクラブ３０の端部に連結した補助シャフト５０については、ねじを緩めることにより容易に取り外すことができる。取り外した補助シャフト５０を単独に利用して、スイング練習を行うこともできる。そのようなスイング練習を行うとき、一端のおねじ部７００を利用して適度な重さのヘッドやウエイトを補助シャフト５０に取り付けることにより、それらヘッドやウエイトの重さを感じ取りつつ、有効なスイング練習を行うことができる。
【符号の説明】
【００２９】
１０  ゴルフ練習器具
２０  ゴルフプレーヤー
３０  ゴルフクラブ
５０  補助シャフト
６００  全ねじ部材
７００  おねじ部
８００  めねじ部
【図１】
0003230638.tif 000003
【図２】
0003230638.tif 000004
【図３】
0003230638.tif 000005
【図４】
0003230638.tif 000006